【手続補正書】
【提出日】平成20年9月25日(2008.9.25)
【手続補正１】
【補正対象書類名】明細書
【補正対象項目名】特許請求の範囲
【補正方法】変更
【補正の内容】
【特許請求の範囲】
【請求項１】
遊技の制御を行う主制御手段と、その主制御手段から出力される賞与遊技媒体の払出指示または貸出ユニットから出力される貸出遊技媒体の払出指示に基づいて遊技媒体の払い出しを行う払出制御手段とを備えた遊技機において、
前記払出制御手段は、１の遊技媒体払出手段を駆動して前記賞与遊技媒体および貸出遊技媒体の払い出しを行うものであり、
前記主制御手段は、前記遊技媒体払出手段が前記貸出遊技媒体の払い出し状態にあるか否かを検出する検出手段と接続されていることを特徴とする遊技機。
【請求項２】
前記賞与遊技媒体は賞球であると共に、前記貸出遊技媒体は貸球であり、
前記検出手段は、前記貸球の払い出し動作を検出するものであることを特徴とする請求項１記載の遊技機。
【請求項３】
前記主制御手段は、
前記払出制御手段へ賞球の払出指示を出力してから所定時間経過してもその賞球の払出指示に応じた賞球が払い出されない場合にエラー処理を行うものであり、
そのエラー処理の実行を前記払出制御手段による貸球の払い出し動作の終了後、第２所定時間スキップまたは禁止するものであることを特徴とする請求項２記載の遊技機。
【請求項４】
球が流入する流入路と、
その流入路の下流側に連通されると共に払い出される賞球が通過する賞球排出路と、
その賞球排出路とは別に前記流入路の下流側に連通されると共に払い出される貸球が通過する貸球排出路と、
前記流入路と前記賞球排出路および貸球排出路との間に配設され、前記流入路を通過する球を前記賞球排出路または貸球排出路のいずれかへ誘導する誘導部材とを備えており、 前記検出手段は、前記誘導部材の位置を検出するものであることを特徴とする請求項２又は３に記載の遊技機。
【手続補正２】
【補正対象書類名】明細書
【補正対象項目名】０００６
【補正方法】変更
【補正の内容】
【０００６】
【課題を解決するための手段】  この目的を達成するために請求項１記載の遊技機は、遊技の制御を行う主制御手段と、その主制御手段から出力される賞与遊技媒体の払出指示または貸出ユニットから出力される貸出遊技媒体の払出指示に基づいて遊技媒体の払い出しを行う払出制御手段とを備えており、前記払出制御手段は、１の遊技媒体払出手段を駆動して前記賞与遊技媒体および貸出遊技媒体の払い出しを行うものであり、前記主制御手段は、前記遊技媒体払出手段が前記貸出遊技媒体の払い出し状態にあるか否かを検出する検出手段と接続されている。なお、遊技媒体払出手段による貸出遊技媒体の払い出し状態とは、貸出遊技媒体をまさに払い出している状態のみならず、貸出遊技媒体を払い出し得る状態を含むものである。
請求項２記載の遊技機は、請求項１記載の遊技機において、前記賞与遊技媒体は賞球であると共に、前記貸出遊技媒体は貸球であり、前記検出手段は、前記貸球の払い出し動作を検出するものである。
請求項３記載の遊技機は、請求項２記載の遊技機において、前記主制御手段は、前記払出制御手段へ賞球の払出指示を出力してから所定時間経過してもその賞球の払出指示に応じた賞球が払い出されない場合にエラー処理を行うものであり、そのエラー処理の実行を前記払出制御手段による貸球の払い出し動作の終了後、第２所定時間スキップまたは禁止するものである。
請求項４記載の遊技機は、請求項２又は３に記載の遊技機において、球が流入する流入路と、その流入路の下流側に連通されると共に払い出される賞球が通過する賞球排出路と、その賞球排出路とは別に前記流入路の下流側に連通されると共に払い出される貸球が通過する貸球排出路と、前記流入路と前記賞球排出路および貸球排出路との間に配設され、前記流入路を通過する球を前記賞球排出路または貸球排出路のいずれかへ誘導する誘導部材とを備えており、前記検出手段は、前記誘導部材の位置を検出するものである。
【手続補正３】
【補正対象書類名】明細書
【補正対象項目名】００８１
【補正方法】変更
【補正の内容】
【００８１】
【発明の効果】  請求項１記載の遊技機によれば、主制御手段は、遊技媒体払出手段が貸出遊技媒体の払い出しを行っているかを検出する検出手段と接続されていることにより、遊技媒体払出手段が貸出遊技媒体の払い出しを行っていることを認識することができるので、遊技の中断等の不具合を回避することができるという効果がある。
請求項２記載の遊技機によれば、請求項１記載の遊技機の奏する効果に加え、賞与遊技媒体は賞球であると共に貸出遊技媒体は貸球であり、貸球の払い出し動作が検出手段により検出される。ここで、１の遊技媒体払出手段で賞球および貸球の払い出しを行う場合に、主制御手段が賞球の払出指示を出力したにも拘わらず、その賞球の払い出しが所定時間内に開始されない場合には、主制御手段は何らかのトラブルが発生したものとしてエラーを発生する場合がある。かかるエラーが所定時間発生し続けると、そのエラーを解除するための特別な操作が必要になる。よって、貸球の払い出し動作が比較的長時間連続して行われる場合に、主制御手段から賞球の払出指示が出力されても、賞球の払い出しが所定時間内に開始されないことがあり、かかる場合には、主制御手段はエラーを発生させ、このエラーが所定時間発生し続けると、遊技が中断されてしまう。しかし、貸球の払い出し動作が行われているか否かを検出手段により検出することにより、主制御手段は貸球の払い出し動作中を認識することができる。従って、主制御手段が貸球の払い出し動作を認識することで、賞球の払出指示の送信後に発生するエラーの発生頻度を少なくすると共に、エラーによる遊技の中断を防止することもできるという効果がある。
請求項３記載の遊技機によれば、請求項２記載の遊技機の奏する効果に加え、主制御手段は、払出制御手段へ賞球の払出指示を出力してから所定時間経過してもその賞球の払出指示に応じた賞球が払い出されない場合にエラー処理を行うが、そのエラー処理の実行を、払出制御手段による貸球の払い出し動作の終了後第２所定時間はスキップまたは禁止できるので、エラー処理の発生を防止できるという効果がある。
請求項４記載の遊技機によれば、請求項２又は３に記載の遊技機の奏する効果に加え、誘導部材により流入路から流入する球の排出路を切り替えて賞球および貸球の払い出しを行う遊技機において、その誘導部材の位置を検出手段により検出することにより、賞球又は貸球の払い出し状態を認識することができるので、誘導部材の位置を検出することにより、確実に貸球の払い出し状態を検出できるという効果がある。
【手続補正４】
【補正対象書類名】明細書
【補正対象項目名】符号の説明
【補正方法】変更
【補正の内容】
【符号の説明】
１            パチンコ機（遊技機）
１７          カード読取ユニット（貸出ユニット）
６０          球払出装置（遊技媒体払出手段）
６１          流入通路（流入路）
６４          仕切板（誘導部材の一部）
６５          キープソレノイド（誘導部材の一部）
６８          賞球通路（賞球排出路）
６９          貸球通路（貸球排出路）
７１          仕切板検出スイッチ（検出手段）
Ｃ            主制御基板（主制御手段）
Ｈ            払出制御基板（払出制御手段）